【手続補正書】
【提出日】平成23年2月28日(2011.2.28)
【手続補正１】
【補正対象書類名】明細書
【補正対象項目名】発明の名称
【補正方法】変更
【補正の内容】
【発明の名称】デジタル情報記録再生装置、デジタル情報記録再生方法、および、デジタル情報表示方法
【手続補正２】
【補正対象書類名】特許請求の範囲
【補正対象項目名】全文
【補正方法】変更
【補正の内容】
【特許請求の範囲】
【請求項１】
デジタルコンテンツと制御情報とを受信し、受信した前記デジタルコンテンツを記録再生するデジタル情報記録再生装置において、
前記制御情報は、前記デジタルコンテンツについて所定数個のコピーが可能なことを示す情報を含み、
前記デジタルコンテンツを受信する受信部と、
ユーザーによる操作指示が入力される操作入力部と、
受信した前記デジタルコンテンツの記録媒体への記録および前記デジタルコンテンツの記録媒体からの再生を行う記録再生部と、
前記記録媒体に記録されたデジタルコンテンツについてのコンテンツ一覧情報とメッセージとを出力する出力部と、
前記記録再生部と前記出力部とを制御する制御部とを備え、
前記制御部は、
前記記録媒体に記録されているデジタルコンテンツが前記所定数個のコピーが可能なデジタルコンテンツである場合に、該デジタルコンテンツからコピーできる個数が前記所定数個以内となるように、該デジタルコンテンツのコピー可能個数を管理し、
前記操作入力部において、前記コンテンツ一覧情報で表示されたデジタルコンテンツのうちの１つのデジタルコンテンツをダビングするために選択する操作指示が入力された場合に、
選択されたデジタルコンテンツのコピー可能個数が１以上のときには、該デジタルコンテンツはコピーが可能であることを示すメッセージを前記出力部より出力するように制御し、
選択されたデジタルコンテンツのコピー可能個数が０のときには、該デジタルコンテンツはムーブのみが可能であることを示すメッセージを前記出力部より出力するように制御する
ことを特徴とするデジタル情報記録再生装置。
【請求項２】
請求項１に記載のデジタル情報記録再生装置において、
前記記録媒体は、前記デジタル情報記録再生装置に内蔵された記録媒体であることを特徴とするデジタル情報記録再生装置。
【請求項３】
請求項１に記載のデジタル情報記録再生装置において、
前記記録媒体は、前記デジタル情報記録再生装置に接続された外部記録媒体であることを特徴とするデジタル情報記録再生装置。
【請求項４】
請求項１に記載のデジタル情報記録再生装置において、
前記操作入力部には、前記デジタル情報記録再生装置に備えられるボタン、または、リモコンによる操作指示が入力されることを特徴とするデジタル情報記録再生装置。
【請求項５】
請求項１に記載のデジタル情報記録再生装置において、
前記メッセージは、コピー可能個数についての情報を含むメッセージであることを特徴とするデジタル情報記録再生装置。
【請求項６】
請求項１乃至請求項５のいずれかに記載のデジタル情報記録再生装置において、
前記出力部は、受信したデジタルコンテンツまたは前記記録媒体に記録されているデジタルコンテンツを出力することを特徴とするデジタル情報記録再生装置。
【請求項７】
デジタルコンテンツと制御情報とを受信し、受信した前記デジタルコンテンツを記録再生するデジタル情報記録再生装置において、
前記制御情報は、前記デジタルコンテンツについて所定数個のコピーが可能なことを示す情報を含み、
前記デジタルコンテンツを受信する受信部と、
ユーザーによる操作指示が入力される操作入力部と、
受信した前記デジタルコンテンツの記録媒体への記録および前記デジタルコンテンツの記録媒体からの再生を行う記録再生部と、
前記記録媒体に記録されたデジタルコンテンツについてのコンテンツ一覧情報とメッセージとを表示する表示部と、
前記記録再生部と前記表示部とを制御する制御部とを備え、
前記制御部は、
前記記録媒体に記録されているデジタルコンテンツが前記所定数個のコピーが可能なデジタルコンテンツである場合に、該デジタルコンテンツからコピーできる個数が前記所定数個以内となるように、該デジタルコンテンツのコピー可能個数を管理し、
前記操作入力部において、前記コンテンツ一覧情報で表示されたデジタルコンテンツのうちの１つのデジタルコンテンツをダビングするために選択する操作指示が入力された場合に、
選択されたデジタルコンテンツのコピー可能個数が１以上のときには、該デジタルコンテンツはコピーが可能であることを示すメッセージを前記表示部に表示するように制御し、
選択されたデジタルコンテンツのコピー可能個数が０のときには、該デジタルコンテンツはムーブのみが可能であることを示すメッセージを前記表示部に表示するように制御する
ことを特徴とするデジタル情報記録再生装置。
【請求項８】
請求項７に記載のデジタル情報記録再生装置において、
前記記録媒体は、前記デジタル情報記録再生装置に内蔵された記録媒体であることを特徴とするデジタル情報記録再生装置。
【請求項９】
請求項７に記載のデジタル情報記録再生記録再生装置において、
前記記録媒体は、前記デジタル情報記録再生装置に接続された外部記録媒体であることを特徴とするデジタル情報記録再生装置。
【請求項１０】
請求項７に記載のデジタル情報記録再生装置において、
前記操作入力部には、前記デジタル情報記録再生装置に備えられるボタン、または、リモコンによる操作指示が入力されることを特徴とするデジタル情報記録再生装置。
【請求項１１】
請求項７に記載のデジタル情報記録再生装置において、
前記メッセージは、コピー可能個数についての情報を含むメッセージであることを特徴とするデジタル情報記録再生装置。
【請求項１２】
請求項７乃至請求項１１のいずれかに記載のデジタル情報記録再生装置において、
前記表示部は、受信したデジタルコンテンツまたは前記記録媒体に記録されているデジタルコンテンツを表示することを特徴とするデジタル情報記録再生装置。
【請求項１３】
デジタルコンテンツと制御情報とを受信し、受信した前記デジタルコンテンツを記録再生する装置におけるデジタル情報記録再生方法において、
前記制御情報は、前記デジタルコンテンツについて所定数個のコピーが可能なことを示す情報を含み、
前記デジタルコンテンツを受信する受信ステップと、
ユーザーによる操作指示が入力される操作入力ステップと、
受信した前記デジタルコンテンツの記録媒体への記録および前記デジタルコンテンツの記録媒体からの再生を行う記録再生ステップと、
前記記録媒体に記録されたデジタルコンテンツについてのコンテンツ一覧情報とメッセージとを出力する出力ステップと、を有し、
前記記録再生ステップおよび前記出力ステップでは、
前記記録媒体に記録されているデジタルコンテンツが前記所定数個のコピーが可能なデジタルコンテンツである場合に、該デジタルコンテンツからコピーできる個数が前記所定数個以内となるように、該デジタルコンテンツのコピー可能個数を管理し、
前記操作入力ステップにおいて、前記コンテンツ一覧情報で表示されたデジタルコンテンツのうちの１つのデジタルコンテンツをダビングするために選択する操作指示が入力された場合に、
選択されたデジタルコンテンツのコピー可能個数が１以上のときには、該デジタルコンテンツはコピーが可能であることを示すメッセージを出力し、
選択されたデジタルコンテンツのコピー可能個数が０のときには、該デジタルコンテンツはムーブのみが可能であることを示すメッセージを出力する
ことを特徴とするデジタル情報記録再生方法。
【請求項１４】
請求項１３に記載のデジタル情報記録再生方法において、
前記記録媒体は、前記装置に内蔵された記録媒体であることを特徴とするデジタル情報記録再生方法。
【請求項１５】
請求項１３に記載のデジタル情報記録再生方法において、
前記記録媒体は、前記装置に接続された外部記録媒体であることを特徴とするデジタル情報記録再生方法。
【請求項１６】
請求項１３に記載のデジタル情報記録再生方法において、
前記操作入力ステップでは、装置に備えられるボタン、または、リモコンによる操作指示が入力されることを特徴とするデジタル情報記録再生方法。
【請求項１７】
請求項１３に記載のデジタル情報記録再生方法において、
前記メッセージは、コピー可能個数についての情報を含むメッセージであることを特徴とするデジタル情報記録再生方法。
【請求項１８】
請求項１３乃至請求項１７のいずれかに記載のデジタル情報記録再生方法において、
受信したデジタルコンテンツまたは前記記録媒体に記録されているデジタルコンテンツを出力するステップを有することを特徴とするデジタル情報記録再生方法。
【請求項１９】
デジタルコンテンツと制御情報とを受信し、受信した前記デジタルコンテンツを記録再生する装置におけるデジタル情報表示方法において、
前記制御情報は、前記デジタルコンテンツについて所定数個のコピーが可能なことを示す情報を含み、
前記デジタルコンテンツを受信する受信ステップと、
ユーザーによる操作指示が入力される操作入力ステップと、
受信した前記デジタルコンテンツの記録媒体への記録および前記デジタルコンテンツの記録媒体からの再生を行う記録再生ステップと、
前記記録媒体に記録されたデジタルコンテンツについてのコンテンツ一覧情報とメッセージとを表示する表示ステップと、を有し、
前記記録再生ステップおよび前記表示ステップでは、
前記記録媒体に記録されているデジタルコンテンツが前記所定数個のコピーが可能なデジタルコンテンツである場合に、該デジタルコンテンツからコピーできる個数が前記所定数個以内となるように、該デジタルコンテンツのコピー可能個数を管理し、
前記操作入力ステップにおいて、前記コンテンツ一覧情報で表示されたデジタルコンテンツのうちの１つのデジタルコンテンツをダビングするために選択する操作指示が入力された場合に、
選択されたデジタルコンテンツのコピー可能個数が１以上のときには、該デジタルコンテンツはコピーが可能であることを示すメッセージを表示し、
選択されたデジタルコンテンツのコピー可能個数が０のときには、該デジタルコンテンツはムーブのみが可能であることを示すメッセージを表示する
ことを特徴とするデジタル情報表示方法。
【請求項２０】
請求項１９に記載のデジタル情報表示方法において、
前記記録媒体は、前記装置に内蔵された記録媒体であることを特徴とするデジタル情報表示方法。
【請求項２１】
請求項１９に記載のデジタル情報表示方法において、
前記記録媒体は、前記装置に接続された外部記録媒体であることを特徴とするデジタル情報表示方法。
【請求項２２】
請求項１９に記載のデジタル情報表示方法において、
前記操作入力ステップでは、装置に備えられるボタン、または、リモコンによる操作指示が入力されることを特徴とするデジタル情報表示方法。
【請求項２３】
請求項１９に記載のデジタル情報表示方法において、
前記メッセージは、コピー可能個数についての情報を含むメッセージであることを特徴とするデジタル情報表示方法。
【請求項２４】
請求項１９乃至請求項２３のいずれかに記載のデジタル情報表示方法において、
受信したデジタルコンテンツまたは前記記録媒体に記録されているデジタルコンテンツを表示するステップを有することを特徴とするデジタル情報表示方法。